(57)【特許請求の範囲】
【請求項１】
有機ヨウ素の鉱化及び続く形成されたヨウ化物の元素のヨウ素への転換による、ヨウ素化有機化合物を含有する母液又は廃棄物からのヨウ素の回収のための方法であって、大気圧下及び沸点で、水性溶液が鉱化工程の間に適切な容量に濃縮されること、及び該溶液がナノ濾過によって精製されることを特徴とする方法。
【請求項２】
有機ヨウ素の鉱化が、pH１２での、１００〜３０００ppmの量の、アルカリ水性溶液中の銅イオン又は微細に分散した金属銅の添加によって行われる、請求項１記載の方法。
【請求項３】
銅の量が、５００〜１０００ppmの範囲である、請求項２記載の方法。
【請求項４】
脱ヨウ素化すべき溶液の濃縮工程が、大気圧下及び沸点で２〜６時間行われる、請求項１〜３記載の方法。
【請求項５】
用いる酸化剤が、過酸化水素である、請求項１〜４記載の方法。
【請求項６】
ヨウ素の酸化及び回収が、単一工程で行われる、請求項１〜５記載の方法。
【請求項７】
ナノ濾過からの透過液が、２０℃〜５０℃の範囲の温度で、５０％硫酸でpH０．５〜１に酸性化され、そして得られた溶液が、酸化剤を制御して供給する連続抽出機に供給され、完全な酸化のために十分な実行時間及び適切な溶媒を用いるヨウ素の抽出を保証する、請求項６記載の方法。
【発明の詳細な説明】
【０００１】
本発明は、ヨウ素化有機化合物を含有する溶液、特に非イオン性造影剤からのヨウ素の回収のための新規方法に関する。
【０００２】
最新の造影剤、すなわち非イオン性造影剤は、通常は２，４，６−トリヨード−１，３−ベンゼンジカルボン酸誘導体であり、芳香環へのヨウ素原子の強い結合を特徴とする。しかし、該結合の強度は、関与する化合物の構造によってもまた影響される。
【０００３】
環境的理由のために、流出物は、ヨウ素化有機化合物を完全に除去すべきであり、一方、今や希少であり高価であることから、経済的理由のために、できる限り多くのヨウ素を回収すべきである。この場合には、経済的必要性及び環境的必要性は、合致する。
【０００４】
この問題は、この方法に関する一連の特許によって明らかなように、かねてから生じている（例えば、WO98/07661；WO94/10083；NO9100001；EP106934を参照せよ）。特に、出願人名義で１９８２年に出願されたEP106934は、ヨウ素の鉱化のための方法を開示し、該方法は、過剰の１００〜２５００ppmの銅イオン又は微細に分散した銅の存在下における、強アルカリ中における１００〜１５０℃での、３０分間〜２時間の造影剤の溶液を加熱することを含む。
【０００５】
鉱化後のヨウ素の回収は、公知方法にしたがって、通常は穏やかな手段を用いる形成したヨウ化物の酸化によって行われる。形成したヨウ素は、例えば、空気又は蒸気流動における抽出によってか又は昇華によって回収され、そして濃縮される。ヨウ素は、水性アルカリ水酸化物での処理によって抽出溶媒（例えばトルエン）から回収されることもでき、そして、昇華において得られたヨウ素蒸気は、例えば、ヨウ化物−ヨウ素酸塩不均化によるアルカリ水酸化物溶液中の吸収によって、捕集されることもできる。
【０００６】
ヨウ素は、酸性化続く不均化によってアルカリ水酸化物溶液から定量的に再生することが公知である。
【０００７】
鉱化処理の温度が造影剤のタイプに依存することは、EP106934（６頁、表）から容易に示すことができる。
【０００８】
新しいクラスの非イオン性化合物（すなわち、カルボキシル基がアミノアルコールを有するアミドの形態である）を表す、ヨーパミドール及びメトリザミドの製造のための条件は、イオン性化合物、すなわち芳香族環上に少なくとも１個の酸基を有するもの（アセトリゾ酸、ジアトリゾ酸、ヨータラム酸、ヨープロン酸、ヨーパノ酸、ヨーダミド及びアジピオドン）のそれに比べてより厳しいものである。例えば、最良の結果は、２％ヨーパミドール溶液を２５００ppmの銅イオンの存在下において１５０℃に加熱するときに達成される。
【０００９】
最も分散された化合物は、現在では非イオン性化合物である。その製造は、通常は、中間工程及び最終工程の両者における溶媒、通常はアルコール性の溶媒からの結晶化を包含する。
【００１０】
ヨウ素を回収すべき廃棄物における溶媒の存在は、上記処理の実施、特に下記工程の実施をより困難にする。
−  少なくとも１００℃で、特許の教示にしたがって鉱化処理を行うときには、圧力下での操作を除いて、（低級アルコールのような）低沸点有機溶媒が原因で上記温度を達成することが困難であり、
−  溶媒、特にアルコールの存在が、スクラバシステムの使用を除いて、問題のある昇華後のヨウ素の沈殿を生じ、
−  昇華されたヨウ素を回収するための代替方法（アルカリを用いる処理そして続く酸性化によるヨウ素の沈殿）を用いるときには、ＲＣＯＣＨ3／ＲＣＨＯＨＣＨ3を有する化合物の存在が原因でヨードホルムの副形成が生じる。
【００１１】
【化１】
0004421115.tif 000002
【００１２】
環境的理由のために絶対に避けるべき上記反応は、ヨードホルムの沈殿を原因とするヨウ素の回収も妨げる。
−  最終的には、鉱化後に形成されるヨウ素を酸化するために必要な酸化剤の量の増加を必要とする。
【００１３】
上記特許において明らかにされていない更なる技術的問題は、鉱化工程後の、続く酸化工程における酸化剤の消費の原因となり、そして更に生分解性が無い点で高い環境的影響を有する、フェノール又はキノン有機化合物が存在することである。
【００１４】
上記問題をEP106,934に記載されている鉱化条件下で得られる溶液を濃縮すること、そして酸化工程の前のナノ濾過（nanofiltration）によって該溶液を精製することによって解決することができ、その結果処理の全体的収率を改善することが、今驚くべきことに見出された。
【００１５】
したがって、本発明の目的は、（アルカリ水性溶液中の銅イオン又は微細に分散した金属銅の存在下における）有機ヨウ素の鉱化によるヨウ素化有機化合物を含有する多くとも９５％（w/w）での有機溶媒の百分率での母液又は廃棄物からのヨウ素の回収、続く形成されたヨウ素の元素のヨウ素への変換のための方法であって、鉱化後の水性溶液が、大気圧下そして沸点で濃縮され、続いてナノ濾過に付されることを特徴とする方法である。
【００１６】
この方法は、ヨーパミドール、ヨーヘキソール、ヨープロミド、ヨーキシラン、ヨーメプロール、ヨーペントール、ヨーベルソールのような非イオン性ヨウ素化造影剤の溶液の処置のために特に適している。本発明の方法は、上記条件を満たせば、イオン性造影剤に適用することもできる。この場合においては、処理すべき化合物又は廃棄物、及び合成工程に依存して水性又は有機溶媒溶液が存在するであろう。
【００１７】
この溶液は、好ましくは、出発容量の８５％〜２５％（w/w）を範囲とする容量に調整される。上記手順は、場合により溶媒の存在下における、イオン性又は非イオン性造影剤の合成からの廃棄物溶液に対して容易に適用可能であり、そして存在する有機分子の破壊及びあらゆる溶媒の除去によって、ＣＯＤを２０，０００〜４０，０００mg/lの値から４，０００〜９，０００mg/lに減らすことを可能にする。
【００１８】
本発明の鉱化方法の条件は、EP106,934に開示されている条件と同一である。
【００１９】
銅触媒は、１００〜３０００ppm、好ましくは５００〜１０００ppmの量で加えられ、そしてpHは、全鉱化工程の間中１２に保たれる。
【００２０】
本発明の方法は、溶液の加熱、及び沸点でのそして大気圧下で脱ヨウ素化されることを含む。
【００２１】
もちろん、これは、
−  アルコール性溶媒の多くとも９５％（w/w）含有量での２％〜１０％（w/w）の濃度における、ヨーパミドール、ヨーメプロール、ヨーヘキソール、メトリザミドの溶液又は一般的非イオン性造影剤の溶液を鉱化するための４〜６時間、
下記の最大含有量（w/w）：２−ブタノール２０％、メチルクロロホルム５％、ｎ−酢酸ブチル４％、ｎ−ドデカン３％（w/w）及びtert−ブタノール３０％での、３％〜１５％のヨウ素化中間体を含有するヨーパミドール中間体の製造からの母液の溶液を鉱化するための２〜３時間、
のようなある程度長い時間を包含する。上記のように、本発明の方法は、別のイオン性造影剤、例えば：
−  ３，５−アセチルアミノ−２，４，６−トリヨード−安息香酸ナトリウム塩（ＤＩＡＣ）、アセトリゾ酸（３−アセトアミノ−２，４，６−トリヨード安息香酸）；
−  アジピオン（３，３′−〔（１，６−ジオキソ−１，６−ヘキサンジイル）ジイミノ〕−ビス−２，４，６−トリヨード安息香酸）；
−  ヨードサミ酸（３，３′−〔（１，１６−ジオキソ−４，７，１０，１３−テトラオキサヘキサデカン−１，１６−ジイル）ジイミノ〕−ビス−２，４，６−トリヨード安息香酸）；
−  ヨータラミ酸（３−（アセチルアミノ）−２，４，６−トリヨード−５−〔（メチルアミノ）カルボニル〕−安息香酸）；
−  ヨープロン酸（２−〔２−〔３−（アセチルアミノ−２，４，６−トリヨード−フェノキシ）エトキシ〕メチル〕ブタン酸）；
−  ヨーパノ酸、３−アミノ−α−エチル−２，４，６−トリヨードベンゼンプロピオン酸
の製造サイクルの母液のために用いることもできる。
【００２２】
上記特許は、有機溶媒のいかなる濃縮又は除去工程も予見していない（実施例１、２、４、５、７、２７、５５を参照せよ）。
【００２３】
実施例３及び６において、非イオン性造影剤（ヨーパミドール及びメトリザミド）に関しては、１３０〜１５０℃で１時間の鉱化を行うために、オートクレーブ又は密封容器を使うことさえも必要とする。
【００２４】
逆に言えば、本発明の方法の特徴は、大気圧下での濃縮工程であって、オートクレーブの使用を回避し、１０５〜１２０℃で存在する固体を原因とする沸点上昇を利用し、そして２〜６時間だけ工程の期間を増加させる。溶液が沸点上昇を保証するために溶解された塩を含有しないときには、硫酸ナトリウム及び／又は塩化ナトリウムを、そのような効果を生じるために加えることができる。加えるべき量は、鉱化すべき混合物に依存する。
【００２５】
このように操作すると、あらゆる存在する溶媒は、ヨウ素の鉱化を行っている間に直接的にか又は蒸気流動蒸留のいずれかによって除去される。
【００２６】
これは、すでに記載されたように、最終的な結晶化を含みそしてヨードホルムを生じることができる非イオン性造影剤の製造のための方法において最も用いられる溶媒である低級アルコールの場合に特に重要である。
【００２７】
更に、ヨウ化ナトリウムに比べて溶けにくいいくつかの無機塩を除去することを可能にする場合に特に有用である、続く工程に供給されるべき溶液が濃縮される。
【００２８】
この単純な操作は、生分解性の増加を与える汚染物質の有意な減少を提供する。例えば、ヨーパミドールの製造廃棄物中の２５，０００mg/lのＣＯＤ及び１，５００mg/lのＢＯＤから出発すると、溶液を、鉱化の終わりに７，０００のＣＯＤ及び３，５００のＢＯＤで得ることができる。この減少は、溶媒の除去及び芳香族分子の部分的分解を原因とする。
【００２９】
濃縮工程において沈殿させることができる溶解性の乏しい塩類化合物の高濃度が存在するときに（特にＮａ2ＳＯ4・１０Ｈ2Ｏの沈殿が生じることができる）、鉱化後の溶液の濾過工程及び濃縮工程を包含することもできる。
【００３０】
濾過は、溶液中に存在するイオン性化合物の部分を除去するという利点を提供し、これによって続くナノ濾過工程における浸透圧を低減する。
【００３１】
鉱化、濃縮及び場合による濾過後の溶液は、ナノ濾過によって精製される。この操作は、２つの工程：
１．溶液のナノ濾過；
２．透過溶液を鉱化工程の前におよその出発容量に調節するための水の添加によるダイアフィルトレーション
において行われる。
【００３２】
本発明のこの方法は、驚くべきことに、精製した画分により一般的である、この技術を滞留ではなく浸透を保つこと用いる。この場合において、ヨウ素が回収された溶液は、主にヨウ化ナトリウムを含有し、高分子有機物質から精製された、及び硫酸ナトリウム及びあらゆる亜硫酸ナトリウムから精製された浸透液である。
【００３３】
浸透液のヨウ素濃度は、銀滴定による測定で０．６〜１．４％に及ぶ。
【００３４】
固体ヨウ素の回収のための最終工程は、上記のとおりに通常に行われる。
【００３５】
特に好ましいのは、主に還元された産物が水である場合の、室温又は高温（２０〜５０℃）での、５０％w/w硫酸の添加によるpH０．５〜１．５での、酸化剤としての過酸化水素の使用である。
【００３６】
有機分子のほとんど完全な不在は、必要な酸化剤の量を有利に低減する。実際に、本発明の過程において、化学量論量に対し僅かに過剰（５〜１５％）なだけが予見される。
【００３７】
酸化は、酸化可能な副産物が全く存在しないときは、実質的には瞬時であり、白金電極を有する過酸化−酸化還元（ox-redox）電位を測定することによってモニターされる。
【００３８】
この反応は、４８０〜５４０mVの塩化第一水銀相対電位で完了されると思われる。
【００３９】
最後の工程は、２つの方法によるヨウ素の回収である。
１．ＮａＣｌのみが溶液に存在する点で先行技術に反して可能である、沈殿したヨウ素の濾過。沈殿収率を改善するために、この溶液は、酸化の前に出発容量の３０〜５０％に濃縮され、約３％ヨウ素含量を保証する。全収率は、理論的に約８８〜９０％である。
２．蒸気流動中の沈殿したヨウ素の昇華、Ｉ-／ＩＯ3-として３．５％のヨウ素最大濃度での、アルカリ中の吸収、及び酸性化による沈殿。この場合において、全収率は、理論的に約９０〜９５％である。
【００４０】
本発明の更なる側面によると、ヨウ素の酸化及び回収は、単一工程において行われる。
【００４１】
ナノ濾過工程からの浸透液は、２０℃〜５０℃に及ぶ温度で、５０％硫酸でpH０．５〜１に酸性化される。該溶液は、連続抽出器に供給され、制御して酸化剤を添加し、完全な酸化及び抽出のために十分な持続時間を保証する。ヨウ素は、（トルエン、メチルtert−ブチルエーテル、ドデカンのような）適切な溶媒を用いて抽出される。このようにしてヨウ化物は、ヨウ素に酸化され、そして単一の工業的操作において水性溶液から抽出される。ヨウ素は、塩基を用いる処理によって溶媒から抽出され、次にすでに上述したとおりに回収される。この場合において、全収率は、理論的に約９３〜９６％である。
【００４２】
下記の実施例は、本発明の方法を行うための最適の実験的条件を説明する。
【００４３】
【実施例】
実験部分
実施例１
有機溶媒（２−ブタノール、酢酸ブチル、ジグリム、tert−ブタノール、ドデカン）約４％（w/w）、２，４，６−トリヨード−５−アミノ−１，３−ベンゼンジカルボン酸約０．４％、ヨーパミドール０．９％及びその副産物（混合物のヨウ素含量は０．７５％（w/w）である）を含有するヨーパミドールの製造からの排液の混合物３０kgを３０％ＮａＯＨ（w/w）でpH１２に調整した。ＣｕＳＯ4・５Ｈ2Ｏ５ｇを加え、この混合物を大気圧下で出発重量の約８０％まで濃縮し；次に、この反応混合物を灌流し、鉱化を完了し、全蒸留及び灌流時間は６時間であった。
【００４４】
鉱化収率は、１００％であった（有機ヨウ素中の出発含量と比べた、銀滴定によるヨウ素含量で測定した）。
【００４５】
濃縮した溶液を冷却まで置き、そして５０％Ｈ2ＳＯ4でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約３０lの水を加えた）。回収された透過液（３０l）を大気圧下で１２lまで濃縮し、次に、５０％Ｈ2ＳＯ4（w/w）でpH１に酸性化し、そして室温で３０％Ｈ2Ｏ2で処理し、溶液の酸化還元電位をモニターした。５２０mV電位に達したとき、この反応を完了した。沈殿した元素のヨウ素を多孔性隔壁による濾過によって回収した。
【００４６】
元素のヨウ素１９８ｇを得た（この過程の全収率は、８８％）。
【００４７】
実施例２
有機溶媒（２−ブタノール、酢酸ブチル、ジグリム、tert−ブタノール、ドデカン）約４％（w/w）、２，４，６−トリヨード−５−アミノ−１，３−ベンゼンジカルボン酸約０．４％（w/w）、ヨーパミドール０．９％（w/w）及びその副産物（混合物のヨウ素含量は０．７０％（w/w）である）を含有するヨーパミドールの製造からの排液の混合物４０kgを３０％ＮａＯＨ（w/w）でpH１２に調整した。ＣｕＳＯ4・５Ｈ2Ｏ６ｇを加え、この混合物を大気圧下で出発重量の約３０％まで濃縮し；次に、この反応混合物を灌流し、鉱化を完了し、全蒸留及び灌流時間は８時間であった。
【００４８】
鉱化収率は、１００％であった（有機ヨウ素中の出発含量と比べた、銀滴定によるヨウ素含量で測定した）。
【００４９】
濃縮した溶液を１５℃で２時間冷却まで置き、そして沈殿した塩を多孔性隔壁で濾過した。この溶液を５０％Ｈ2ＳＯ4（w/w）でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約２８lの水を加えた）。
【００５０】
浸透液中のヨウ素の回収は、ナノ濾過の前の溶液中に存在したヨウ素と比べて９９％であった。
【００５１】
回収された透過液（３０l）を、５０％Ｈ2ＳＯ4（w/w）でpH１に酸性化した。得られた溶液を連続酸化抽出システム内で、室温（２５℃）で酸化した。酸化は、pH１で、浸透液に３０％Ｈ2Ｏ2（w/w）を送って行った。次に、この水性溶液を連続実験室抽出機に送り、そして元素のヨウ素を形成し、続いて酸化物をドデカンで抽出した。用いた３０％Ｈ2Ｏ2の量を、５３０mVに電位を保ちながら、抽出機の頭部で直接酸化還元電位をモニターして明らかにした。用いた容量比は、ドデカン３l対水性溶液１lであった。有機相９０lを回収した。
【００５２】
ヨウ素の抽出収率は、ナノ濾過からの透過溶液中に存在するヨウ素の量と比べて９８％であった。
【００５３】
有機相を、水性アルカリ溶液（有機相１６lに対し１lの容量比における３０％ＮａＯＨ（w/w））と一緒に連続システムにおける抽出に再度付した。得られたアルカリ性溶液（５．６l）を５０％Ｈ2ＳＯ4（w/w）でpH１に酸性化した。沈殿した元素のヨウ素を濾過によって回収した。
【００５４】
ヨウ素２５７ｇを得た（この過程の全収率９２％）。
【００５５】
実施例３
有機溶媒（２−ブタノール及びtert−ブタノール）約３０％（w/w）、２，４，６−トリヨード−５−アミノ−１，３−ベンゼンジカルボン酸約１０％（w/w）、ヨーパミドール約４％（w/w）及びその副産物（混合物のヨウ素含量は８．７６％（w/w）である）を含有するヨーパミドールの製造からの排液の混合物４０kgを３０％ＮａＯＨ（w/w）でpH１２に調整した。ＣｕＳＯ4・５Ｈ2Ｏ７５ｇを加え、この混合物を大気圧下で出発重量の約３０％まで濃縮し、次に、この反応混合物を灌流し、鉱化を完了し、全蒸留及び灌流時間は８時間であった。
【００５６】
鉱化収率は、１００％であった（有機ヨウ素中の出発含量と比べた、銀滴定によるヨウ素含量で測定した）。
【００５７】
濃縮した溶液を１５℃で２時間冷却まで置き、そして沈殿した塩を多孔性隔壁で濾過した。この溶液を５０％Ｈ2ＳＯ4（w/w）でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約４０lの水を加えた）。
【００５８】
浸透液中のヨウ素の回収は、ナノ濾過の前の溶液中に存在したヨウ素と比べて９９％であった。
【００５９】
回収された透過液（４０l）を、５０％Ｈ2ＳＯ4（w/w）でpH１に酸性化した。得られた溶液を連続酸化抽出システム内で、室温（２５℃）で酸化した。酸化は、pH１で、浸透液に３０％Ｈ2Ｏ2（w/w）を送って行った。次に、この水性溶液を連続実験室抽出機に送り、そして元素のヨウ素を形成し、続いて酸化物をドデカンで抽出した。用いた３０％Ｈ2Ｏ2の量を、５３０mV電位に達したとき酸化が終わったと考えて酸化還元電位をモニターすることによって明らかにした。用いた容量比は、ドデカン３対水性溶液１であった。有機相１２０lを回収した。
【００６０】
ヨウ素の抽出収率は、ナノ濾過からの透過溶液中に存在するヨウ素の量と比べて９８％であった。
【００６１】
有機相を、水性アルカリ溶液（有機相２０lに対し１lの容量比における３０％ＮａＯＨ（w/w））と一緒に連続システムにおける抽出に再度付した。得られたアルカリ性溶液（６l）を５０％Ｈ2ＳＯ4（w/w）でpH１に酸性化した。沈殿した元素のヨウ素を濾過によって回収した。
【００６２】
ヨウ素３２２５ｇを得た（この過程の全収率９２％）。
【００６３】
実施例４
２−ブタノール約２０％（w/w）（混合物のヨウ素含量は１．５４％（w/w）である）を含有するヨーパミドール結晶化の母液２０kgを、３０％ＮａＯＨ（w/w）でpH１２に調整した。ＣｕＳＯ4・５Ｈ2Ｏ７５ｇを加え、この混合物を大気圧下で出発重量の約５０％まで濃縮し、次に、この反応混合物を灌流し、鉱化を完了し、全蒸留及び灌流時間は６時間であった。
【００６４】
鉱化収率は、１００％であった（有機ヨウ素中の出発含量と比べた、銀滴定によるヨウ素含量で測定した）。
【００６５】
濃縮した溶液を冷却まで置き、そして５０％Ｈ2ＳＯ4（w/w）でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約２０lの水を加えた）。回収された透過液（２０l）を大気圧下で１０lに濃縮し、次に５０％Ｈ2ＳＯ4（w/w）でpH１に酸性化し、そして室温で３０％Ｈ2Ｏ2で処理し、溶液の酸化還元電位をモニターし、５３０mV電位に達したときこの反応を完了した。元素のヨウ素を多孔性隔壁による濾過によって回収した。
【００６６】
元素のヨウ素２７７ｇを得た（この過程の全収率９０％）。
【００６７】
実施例５
有機溶媒（２−ブタノール及びtert−ブタノール）約１５％（w/w）、２，４，６−トリヨード−５−アミノ−１，３−ベンゼンジカルボン酸約１０％（w/w）、ヨーパミドール約４％（w/w）及びその副産物（混合物のヨウ素含量は２．５％（w/w）である）を含有するヨーパミドールの製造からの排液の混合物４０kgを３０％ＮａＯＨ（w/w）でpH１２に調整した。ＣｕＳＯ4・５Ｈ2Ｏ７５ｇを加え、この混合物を大気圧下で出発重量の約３０％まで濃縮し、次に、この反応混合物を灌流し、鉱化を完了し、全蒸留及び灌流時間は６時間であった。
【００６８】
鉱化収率は、１００％であった（有機ヨウ素中の出発含量と比べた、銀滴定によるヨウ素含量で測定した）。
【００６９】
濃縮した溶液を１５℃で１時間冷却まで置き、そして沈殿した塩を多孔性隔壁で濾過した。この溶液を５０％Ｈ2ＳＯ4（w/w）でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約４０lの水を加えた）。
【００７０】
浸透液中のヨウ素の回収は、ナノ濾過の前の溶液中に存在したヨウ素と比べて９９％であった。
【００７１】
回収された透過液（４０l）を、大気圧下で２０lに濃縮し、次に、５０％Ｈ2ＳＯ4（w/w）でpH１に酸性化し、そして室温で３０％Ｈ2Ｏ2（w/w）で処理し、この溶液の酸化還元電位をモニターした。５４０mV電位に達したとき、この反応を完了した。沈殿した元素のヨウ素を蒸気流動の昇華によって分離し、そしてヨウ素濃度３．５％のＩ-／ＩＯ3-の形態で３０％ＮａＯＨ（w/w）中に吸収した。得られたアルカリ性溶液を５０％Ｈ2ＳＯ4（w/w）でpH１に調整した。沈殿した元素のヨウ素を濾過によって回収した。
【００７２】
ヨウ素９１０ｇを得た（この過程の全収率９１％）。
【００７３】
有機溶媒（２−ブタノール及びtert−ブタノール）約５％（w/w）、２，４，６−トリヨード−５−アミノ−１，３−ベンゼンジカルボン酸約２０％（w/w）、ヨーパミドール約２０％（w/w）及びその副産物（混合物のヨウ素含量は２１．５％（w/w）である）を含有するヨーパミドールの製造からの製造排液３０kgを３０％ＮａＯＨ（w/w）でpH１３に調整した。ＣｕＳＯ4・５Ｈ2Ｏ１４５ｇを加え、この混合物を大気圧下で出発重量の約６０％まで濃縮し、次に、この反応混合物を灌流し、鉱化を完了し、全蒸留及び灌流時間は８時間であった。
【００７４】
鉱化収率は、１００％であった（有機ヨウ素中の出発含量と比べた、銀滴定によるヨウ素含量で測定した）。
【００７５】
濃縮した溶液を冷却まで置き、そして５０％Ｈ2ＳＯ4（w/w）でpH７に緩衝した。得られた中性溶液を、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約５０lの水を加えた）。
【００７６】
浸透液中のヨウ素の回収は、ナノ濾過の前の溶液中に存在したヨウ素と比べて９９％であった。
【００７７】
回収された透過液（５０l）を、大気圧下で２０lに濃縮し、次に、５０％Ｈ2ＳＯ4（w/w）でpH１に酸性化し、そして室温で３０％Ｈ2Ｏ2（w/w）で処理し、この溶液の酸化還元電位をモニターした。５５０mV電位に達したとき、この反応を完了した。沈殿した元素のヨウ素を濾過によって回収した。
【００７８】
ヨウ素５７４０ｇを得た（この過程の全収率９１％）。
【００７９】
実施例７
有機溶媒（ｎ−ブタノール及びエタノール）約１０％（w/w）、２，４，６−トリヨード−５−アミノ−１，３−ベンゼンジカルボン酸及び２，４，７−トリヨード−３，５−アセトアミド安息香酸約１０％（w/w）、ヨーメプロール約４％（w/w）及びその副産物（混合物のヨウ素含量は８．７６％（w/w）である）を含有するヨーメプロールの製造からの排液及び２，４，７−トリヨード−３，５−アセトアミド安息香酸ナトリウム塩４０kgを、３０％ＮａＯＨ（w/w）でpH１３に調整した。ＣｕＳＯ4・５Ｈ2Ｏ８０ｇを加え、この混合物を大気圧下で出発重量の約３０％まで濃縮し、次に、この反応混合物を灌流し、鉱化を完了し、全蒸留及び灌流時間は８時間であった。
【００８０】
鉱化収率は、１００％であった（有機ヨウ素中の出発含量と比べた、銀滴定によるヨウ素含量で測定した）。
【００８１】
濃縮した溶液を１５℃で２時間冷却まで置き、そして沈殿した塩を多孔性隔壁で濾過した。この溶液を５０％Ｈ2ＳＯ4（w/w）でpH７に緩衝し、次に２５〜３０barの操作的圧力での、Separem membrane mod Desal5（ＤＫ２５２１Ｔ）を用いるナノ濾過に付した。この溶液を滞留容量を実質的に一定を保ちつつ、水を加えて、ダイアフィルターした（約４５lの水を加えた）。
【００８２】
浸透液中のヨウ素の回収は、ナノ濾過の前の溶液中に存在したヨウ素と比べて９９．５％であった。
【００８３】
回収された透過液（４５l）を５０％Ｈ2ＳＯ4（w/w）でpH１に酸性化した。得られた溶液を室温で溶液に３０％Ｈ2Ｏ2（w/w）添加して酸化した。用いた３０％Ｈ2Ｏ2の量を、５３０mV電位に達したとき酸化が終わったと考えて酸化還元電位をモニターすることによって明らかにした。混合物を約３時間５℃に冷却し、沈殿したヨウ素を濾過によって回収した。
【００８４】
ヨウ素３２２５ｇを得た（この過程の全収率９７％）。